(57)【要約】【課題】縦型回転機における回転子を固定子から引き抜いて横倒作業を行う際に、回転子の下側軸部を安定に支持し損傷防止をすると共にスムーズな横倒作業を行う。【構成】基部２の上部にその水平な軸線の周りに回転自在に設けた軸挿入部５と、基部２の下部に設けた車輪装置６を備えた横倒装置１を用意し、回転子１５の上側軸部１５ｂを天井クレーン等の吊上げ手段の把持部１６で把持して上方に引き抜き、引き抜いた回転子１５の下側軸部１５ｃを横倒装置１の軸挿入部５に挿入し、車輪装置６を利用して横倒装置１を横方向に移動しつつ回転子１５を横倒する。【選択図】        図６
2004248474.tif 000002
【特許請求の範囲】
【請求項１】
縦型回転機１３の固定子１４から引き抜いた回転子１５を横倒する装置であって、
基部２と、基部２の上部にその水平な軸線の回りに回転自在に設けた軸挿入部５と、基部２の下部に設けた車輪装置６を備えていることを特徴とする回転子の横倒装置。
【請求項２】
縦型回転機１３の固定子１４から引き抜いた回転子１５を横倒する方法において、
基部２と、基部２の上部にその水平な軸線の回りに回転自在に設けた軸挿入部５と、基部２の下部に設けた車輪装置６を備えた横倒装置１を用意し、回転子１５の上側軸部１５ｂを吊上げ手段で吊上げた状態で、その回転子１５の下側軸部１５ｃを前記横倒装置１の軸挿入部５に挿入し、次いで吊上げ手段により回転子１５を下降操作し、前記車輪装置６を利用して前記横倒装置１を横方向に移動しつつ回転子１５を横倒することを特徴とする回転子の横倒方法。
【請求項３】
請求項２において、回転子１５が水平状態になったときに、その上側軸部１５ｂを支持体１８で支持し、次いで上側軸部１５ｂから吊上げ手段を取り外すことを特徴とする回転子の横倒方法。
【請求項４】
請求項３において、上側軸部１５ｂから吊上げ手段を取り外した後、下側軸部１５ｃを横倒装置１の軸挿入部５から他の支持体１８に移し変えて支持することを特徴とする回転子の横倒方法。
【発明の詳細な説明】
【０００１】
【発明の属する技術分野】
本発明は大型の縦型電動機のように重量と寸法の大きな縦型回転機から引き抜いた回転子を保守点検等のために横倒する装置、およびその装置を用いた横倒方法に関する。
【０００２】
【従来の技術】
大容量の縦型ポンプのような縦型回転機器は大型の縦型電動機が直結される。縦型電動機のような縦型回転機は固定子と回転子により構成されるが、定期的または随時に保守点検などを行う際には、回転子を固定子から引き抜いて別々に保守点検が行われる。それには先ず回転子を固定子から上方に引き抜いてから横倒し、適当な支持体に安定に支持させて点検等を行う。一方回転子を引き抜いた後の固定子は安定な状態であるのでそのままで保守点検等を行う。
【０００３】
したがって縦型回転機の保守点検等を行う場合には、固定子から引き抜いた回転子を効率よく横倒して安定な状態にすることが重要になる。固定子から回転子を引き抜くには、通常、天井クレーン等の吊上げ手段が用いられる。例えば吊上げ手段の吊上げ用ワイヤの先端部に把持部を取付け、その把持部に回転子の上側軸部を把持して上方に引き抜く。そのため通常、回転子の上側軸部には半径方向に貫通する孔が設けられ、その孔に把持部の挿入棒もしくはワイヤを挿通して把持するようになっている。
【０００４】
従来から実施されている横倒方法は、先ず天井クレーン等の吊上げ手段で回転子の上側軸部を把持して吊上げ、その下側軸部を角材などの積み上げ体よりなる支持体上に垂直に載置し、次に回転子を緩やかに横移動しつつ、吊り上げ手段を下降する複合操作を行うことによって、回転子を次第に傾斜させていく。そして回転子をほぼ水平な状態まで横倒したとき、反対側に位置する下側軸部を他の支持体で支持する。
【０００５】
【発明が解決しようとする課題】
しかし上記横倒方法は、回転子の下側軸部が支持体上を横移動、若しくはそこから転落しないように慎重かつ複雑な操作をする必要があるので、高度な熟練を必要とする。また回転子に過剰な水平分力を与えると、積み上げた角材が崩壊する事故を起こすおそれもあるので、その対策も必要になる。
そこで本発明は従来の横倒方法における問題を解決することを課題とし、そのための新しい横倒装置およびそれを用いた横倒方法の提供を目的とする。
【０００６】
【課題を解決するための手段】
前記課題を解決する本発明に係る横倒装置は、縦型回転機から引き抜いた回転子を横倒する装置であって、
基部と、基部の上部にその水平な軸線の回りに回転自在に設けた軸挿入部と、基部の下部に設けた車輪装置を備えていることを特徴とする（請求項１）。
【０００７】
さらに、前記課題を解決する横倒方法は、縦型回転機の固定子から引き抜いた回転子を横倒する方法において、
基部と、基部の上部にその水平な軸線の回りに回転自在に設けた軸挿入部と、基部の下部に設けた車輪装置を備えた横倒装置を用意し、回転子の上側軸部を吊上げ手段で吊上げた状態で、その回転子の下側軸部を前記横倒装置の軸挿入部に挿入し、次いで吊上げ手段により回転子を下降操作し、前記車輪装置を利用して前記横倒装置を横方向に移動しつつ回転子を横倒することを特徴とする（請求項２）。
【０００８】
上記横倒方法において、前記のように回転子が水平状態になったときに、その上側軸部を支持体で支持し、次いで上側軸部から吊上げ手段を取り外すことができる（請求項３）。
さらに上側軸部から吊上げ手段を取り外した後、下側軸部を横倒装置の軸挿入部から他の支持体に移し変えて支持することもできる（請求項４）。
【０００９】
【発明の実施の形態】
次に本発明の実施の形態を図面により説明する。図１は本発明に係る横倒装置の正面図、図２は図１の右側面図、図３は図１の平面図である。これらの図において、横倒装置１はＬ型鋼やＩ型鋼などを溶接して組み立てた基部２と、基部２から上方に延長した一対の支持部材３と、それら支持部材３に設けた一対の軸受部４と、各軸受部４に軸９をその水平な軸線の回りに軸支した軸挿入部５と、基部２の下部四隅にそれぞれ設けた車輪装置６を備えている。
【００１０】
軸挿入部５は筒体７と、筒体７から左右に突出する延長する一対の軸９を有しており、筒体７の上側開口部から回転子の下側軸部を挿入するようになっている。
各車輪装置６は基部２に固定した軸受１０と、複数の車輪１１により構成されている。
軸受部１０は複数の軸受が並列しており、各軸受に車輪１１がそれぞれその軸線が軸挿入部の軸線に平行になるように軸支されている。そして各車輪１１の回転により基部２は図２の左右方向にのみ移動可能とされる。
【００１１】
なお基部２の上側四隅にはそれぞれ所望に応じて図示のような吊上げフック１２が設けられるが、これら吊上げフック１２は横倒装置１をクレーン等の吊上げ手段で吊上げて運搬する際などに利用される。
【００１２】
図４〜図８は回転子の横倒方法を説明する模式的な図であり、これらの図を参照して回転子の横倒方法を説明する。縦型回転機１３は図４のように固定子１４と回転子１５により構成され、回転子１５は円柱状の本体１５ａと、本体１５ａから上方に延長した上側軸部１５ｂと、本体１５ａから下方に延長した下側軸部１５ｃ（図５参照）を有し、上側軸部１５ｂには半径方向に貫通する孔が設けられている。
【００１３】
回転子１５を固定子１４から上方に引き抜くには、固定子の図示しない上側軸受けを取り外した状態で、先ず吊上げ手段（図示せず）の把持部１６により、回転子１５を固定子１４から上方に引き抜いて吊上げる。本実施形態の把持部１６は吊上げ手段から延長するワイヤ１７を係止する枠状の係止部１６ａと掛止ボルト１６ｂを有し、その掛止ボルト１６ｂを係止部１６ａに設けた貫通孔と回転子１５の上側軸部１５ｂに設けた孔に挿通し、掛止ボルト１６ｂが抜けないようにそれにナット１６ｃを螺着する。
【００１４】
次に、回転子１５を固定子１４から上方に引き抜く。そして、図５のように吊上げた回転子１５の真下に図１〜図３に示す本発明に係る横倒装置１を配置し、次いで吊上げ手段を操作して回転子１５を徐々に下降する。そして回転子１５の下側軸部１５ｃを横倒装置１における軸挿入部５の筒体７内に挿入し、吊上げ手段の下降操作を一次停止する。
【００１５】
次に手で横倒装置１を少し横方向に押すと共に、吊上げ手段により回転子１５の下降操作を再開すると、回転子１５の下降にしたがって横倒装置１は車輪装置６の作用によりスムーズに横方向への自走を開始する。横倒装置１が自走開始すると図６のように回転子１５は次第に傾くが、その軸方向が水平近くになるまで更に吊上げ手段による回転子１５の下降操作を続ける。
【００１６】
回転子１５の軸方向が水平に近づいたとき、その上側軸部１５ｂの下方に位置する床上に図７に示すような支持体１８を配置し、その支持体１８に上側軸部１５ｂを支持させる。図７は支持体１８に上側軸部１５ｂを支持した状態を示している。なお支持体１８は底部１８ａとそれから上方に延長する脚部１８ｂを有し、脚部１８ｂの上部にはＶ字型の支持溝（図示せず）が形成され、その支持溝に上側軸部１５ｂが安定に支持される。
【００１７】
図７のように回転子１５の上側軸部１５ｂを支持体１８に支持し、下側軸部１５ｃを横倒装置１の軸挿入部５に支持することにより、回転子１５は軸方向が水平になった状態で、すなわち横倒された状態で安定に支持される。したがって図７の状態でも十分に回転子１５の保守点検作業等を実施することができる。
【００１８】
しかし図８に示すように、回転子１５の下側軸部１５ｃも図７に示すものと同様な支持体１８で支持してから保守点検作業等を実施することもできる。その場合には先ず下側軸部１５ｃをジャッキ装置または吊上げ装置で浮かせた状態で、横倒装置１を下側軸部１５ｃから取り外し、次にその下側軸部１５ｃを別の支持体１８で支持する。すなわち下側軸部１５ｃの支持を横倒装置１の軸挿入部５から支持体１８への移し変え操作を行う。これによって回転子１５をより安定且つ確実に支持した状態で保守点検等を実施できる。
【００１９】
回転子１５の保守点検等が終了したら、再び固定子１４に回転子１５を吊り降ろして装着する。その際には先ず図７の状態とし、そこから図４の状態まで前記と逆の手順で吊上げ手段を操作し、最後に回転子１５を固定子１４内に装着すればよい。したがって本発明に係る横倒装置１は、回転子１５を横倒状態から縦方向に立ち上げる際にも好適に使用できる。
【００２０】
【発明の効果】
以上のように、本発明の縦型回転機における回転子の横倒装置は、基部の上部にその水平な軸線の回りに回転自在に設けた軸挿入部と、基部の下部に設けた車輪装置を備えていることを特徴とする。そして本装置を用いて回転子を横倒する場合、回転子の下側軸部をその軸挿入部に安定して支持させながら、車輪装置で横倒操作をスムーズに行うことができる。そのため横倒作業に際して下側軸部が滑り落ちたり擦ったりするおそれがないので、下側軸部が損傷する事故も防止できる。また作業に熟練を必要とせず、効率よく迅速に、且つ安全に回転子の横倒作業を実施できる。
【００２１】
また、本発明の縦型回転機の回転子を横倒する方法は、基部と、基部の上部に回転自在に設けた軸挿入部と、基部の下部に設けた車輪装置を備えた横倒装置を用意し、回転子の上側軸部を吊上げ手段で吊上げた状態で、その回転子の下側軸部を前記横倒装置の軸挿入部に挿入し、次いで吊上げ手段により回転子を下降操作し、前記車輪装置を利用して前記横倒装置を横方向に移動しつつ回転子を横倒することを特徴とする。
本方法によれば、横倒作業に際して下側軸部が滑り落ちたり擦ったりするおそれがないので、下側軸部が損傷する事故も防止できる。また作業に熟練を必要とせず、効率よく迅速に且つ安全に回転子の横倒作業を実施できる。
【００２２】
上記方法において、回転子が水平状態になったときにその上側軸部を支持体で支持し、次いで上側軸部から吊上げ手段を取り外すことができる。本方法によれば、回転子をより安定に支持した状態で保守点検等を実施できる。
【００２３】
さらに上記のように支持体で回転子の下側軸部を支持する場合において、上側軸部から吊上げ手段を取り外した後、下側軸部を横倒装置の軸挿入部から他の支持体に移し変えて支持することができる。本方法によれば、回転子をより安定且つ確実に支持した状態で保守点検等を実施できる。
【図面の簡単な説明】
【図１】本発明に係る横倒装置の正面図。
【図２】図１の右側面図。
【図３】図１の平面図。
【図４】回転子の横倒方法を説明する模式的な図。
【図５】回転子の横倒方法を説明する模式的な図。
【図６】回転子の横倒方法を説明する模式的な図。
【図７】回転子の横倒方法を説明する模式的な図。
【図８】回転子の横倒方法を説明する模式的な図。
【符号の説明】
１  横倒装置
２  基部
３  支持部材
４  軸受部
５  軸挿入部
６  車輪装置
７  筒体
９  軸
１０  軸受
１１  車輪
１２  フック
１３  縦型回転機
１４  固定子
１５  回転子
１５ａ  本体
１５ｂ  上側軸部
１５ｃ  下側軸部
１６  把持部
１６ａ  係止部
１６ｂ  掛止ボルト
１６ｃ  ナット
１７  ワイヤ
１８  支持体
１８ａ  底部
１８ｂ  脚部
【図１】
2004248474.tif 000003
【図２】
2004248474.tif 000004
【図３】
2004248474.tif 000005
【図４】
2004248474.tif 000006
【図５】
2004248474.tif 000007
【図６】
2004248474.tif 000008
【図７】
2004248474.tif 000009
【図８】
2004248474.tif 000010